(57)【要約】本発明は、少なくとも１つの通信ネットワークのＡＡＬ２シグナリングプロトコルと少なくとも１つのさらなるシグナリングプロトコルの間の移行の際の特性の簡単でかつ低コストの確定のための方法および装置に関している。本発明による方法及び装置では、少なくとも１つの特性が、ＡＡＬ２シグナリングプロトコルに割当てられたパラメータ値に基づいて確定され、確定された特性がＡＡＬ２シグナリングプロトコルのパラメータ値からさらなるシグナリングプロトコルのパラメータ値への再生のために用いられることを特徴とする。
2006514814.tif 000002
【特許請求の範囲】
【請求項１】
少なくとも１つの通信ネットワークにおけるＡＡＬ２シグナリングプロトコルから少なくとも１つのさらなるシグナリングプロトコルへの移行のための方法において、
少なくとも１つの特性をＡＡＬ２シグナリングプロトコルに対して定められたパラメータ値から確定し、
前記確定された特性が、ＡＡＬ２シグナリングプロトコルのパラメータ値からさらなるシグナリングプロトコルのパラメータ値へのマッピングのために利用されることを特徴とする方法。
【請求項２】
ＡＡＬ２シグナリングプロトコルのリンク特性のパラメータ値からＡＡＬ２シグナリングプロトコルの転送キャパビリティパラメータ値への移行が実施される、請求項１記載の方法。
【請求項３】
ＡＡＬ２シグナリングプロトコルの優先リンク特性のパラメータ値からＡＡＬ２シグナリングプロトコルの優先転送キャパビリティパラメータ値への移行が実施される、請求項１または２記載の方法。
【請求項４】
ＡＡＬ２シグナリングプロトコルのリンク特性のパラメータ値からＩＰコネクションのためのシグナリングプロトコルのＩＰ転送キャパビリティパラメータ値への移行が実施される、請求項１から３いずれか１項記載の方法。
【請求項５】
ＡＡＬ２シグナリングプロトコルの優先リンク特性のパラメータ値からＩＰコネクションのためのシグナリングプロトコルの優先ＩＰ転送キャパビリティパラメータ値への移行が実施される、請求項１から４いずれか１項記載の方法。
【請求項６】
ＡＡＬ２シグナリングプロトコルのパラメータ値からＩＰコネクションのためのシグナリングプロトコルのＩＰ転送キャパビリティパラメータ値への移行がコネクション確立リクエスト及び／又は変更リクエストに基づいて実施される、請求項１から５いずれか１項記載の方法。
【請求項７】
パラメータ値の特性として、ビットレート、最大許容パケットサイズ、最大ＣＰＳ−ＳＤＵサイズ、平均ＣＰＳ−ＳＤＵサイズ、ＳＳＩＳＵパラメータ及び／又はＩＰ転送キャパビリティクラスが確定される、請求項１から６いずれか１項記載の方法。
【請求項８】
ビットレート確定のために、ＡＡＬ２シグナリングプロトコルのリンク特性パラメータ値からＡＡＬ２シグナリングプロトコルの転送キャパビリティパラメータ値への移行のもとで、平均ＣＰＳ−ＳＤＵサイズに関する時間単位毎のピークレートデータパケットの数が求められ、パケットヘッダ長と共にビットレートが確定される、請求項１から７いずれか１項記載の方法。
【請求項９】
ビットレート確定のために、ＡＡＬ２シグナリングプロトコルのリンク特性パラメータ値からＩＰコネクションのためのシグナリングプロトコルのＩＰ転送キャパビリティパラメータ値への移行のもとで、最大パケットサイズでのピークレートの時間単位毎のデータパケットの数から最小ヘッダビットレートが確定され、ピークバイトレートと共にビットレートが求められる、請求項１から８いずれか１項記載の方法。
【請求項１０】
最大許容パケットサイズが、最大ＣＰＳ−ＳＤＵサイズと、ＳＳＳＡＲ−ＳＤＵの最大長と、ＩＰパケットヘッダ長から求められる、請求項１から９いずれか１項記載の方法。
【請求項１１】
特性の確定の際に、６４ビット／秒の整数倍に対する正規化が実施される、請求項１から１０いずれか１項記載の方法。
【請求項１２】
最大ＣＰＳ−ＳＤＵサイズ及び／又は平均ＣＰＳ−ＳＤＵサイズが、最大許容パケットサイズ最小値引くＩＰ転送キャパビリティのＩＰパケットヘッダ長、及び／又は優先ＩＰ転送キャパビリティ、及び最大許容ＣＰＳ−ＳＤＵサイズから求められる、請求項１から１１いずれか１項記載の方法。
【請求項１３】
ＳＳＩＳＵパラメータが、最大許容パケットサイズ最大値引くＩＰ転送キャパビリティのＩＰパケットヘッダ長、最大許容パケットサイズ引く優先ＩＰ転送キャパビリティの一パケットヘッダ長、及び最大許容ＣＰＳ−ＳＤＵサイズから求められる、請求項１から１２いずれか１項記載の方法。
【請求項１４】
所定の帯域幅転送キャパビリティが、ＡＡＬ２ネットワークからのコネクション確立リクエストのＭＳリンク特性及び／又はリンク特性に関する先行の所定の条件に基づいて選択され、当該条件の少なくとも１つが充たされない場合には、定常的帯域幅転送キャパビリティがＩＰ転送キャパビリティクラスとして使用される、請求項１３記載の方法。
【請求項１５】
インターワーキングユニットからコネクション確立リクエストが受信された場合に、ＩＰ転送キャパビリティクラスが確定される、請求項１４記載の方法。
【請求項１６】
ＩＰパケットヘッダ長の確定のために、ＩＰパケットヘッダ、ＵＤＰヘッダ、ＲＴＰが使用しているコネクションに対するＲＴＰヘッダが用いられる、請求項１から１５いずれか１項記載の方法。
【請求項１７】
ＡＡＬ２シグナリングプロトコルからＩＰコネクションのためのシグナリングプロトコルへの移行の際に特性の確定がインターワーキングユニットにおいて実施される、請求項１から１６いずれか１項記載の方法。
【請求項１８】
ＡＡＬ２シグナリングプロトコルからさらなるＡＡＬ２シグナリングプロトコルへの移行の際に特性の確定がＡＡＬ２スイッチングデバイスにおいて実施される、請求項１から１７いずれか１項記載の方法。
【請求項１９】
少なくとも１つの通信ネットワークにおけるＡＡＬ２シグナリングプロトコルから少なくとも１つのさらなるシグナリングプロトコルへの移行のための装置において、
ＡＡＬ２シグナリングプロトコルのパラメータ値を受信する受信ユニットと、
ＡＡＬ２シグナリングプロトコルに対して定められたパラメータ値から少なくとも１つの特性を確定し、かつＡＡＬ２シグナリングプロトコルのパラメータ値からさらなるシグナリングプロトコルのパラメータ値へのマッピングを実施する処理ユニットと、
マッピングされたさらなるシグナリングプロトコルのパラメータ値を送信する送信ユニットとを有していることを特徴とする装置。
【請求項２０】
前記装置としてＡＡＬ２スイッチングユニットが設けられている、請求項１９記載の装置。
【請求項２１】
前記装置としてインターワーキングユニットが設けられている、請求項１９または２０記載の装置。
【発明の詳細な説明】
【技術分野】
【０００１】
本発明は、少なくとも１つの通信ネットワークのＡＡＬ２シグナリングプロトコルと少なくとも１つのさらなるシグナリングプロトコルの間の移行のための方法及び装置に関している。
【背景技術】
【０００２】
ＩＴＵ−Ｔでは、作業表題“Q.ＩＰＣ.ＣＳ１”のもとでＩＰコネクションに対するシグナリングプロトコルを（ＩＰコネクションコントロールプロトコル）標準化している。このシグナリング方式は、とりわけＩＰベースのいわゆる無線アクセスネットワーク（Radio Access Networks；以下では単にＲＡＮとも称する）に用いられている。ここでは例えばいわゆるインターワーキングユニット（interworking unit）を用いて、ＩＰベースのＲＡＮからなるネットワークコンポーネントを、ＡＴＭアダプテーションレイヤタイプ２（以下では単にＡＡＬ２とも称する）ベースのＲＡＮからなるネットワークコンポーネントに接続させることがもくろまれている。さらにＩＰ側でリソース要求をＩＴＵ−Ｔ勧告Ｙ.１２２１に従ってＩＰ転送キャパビリティ（I P Transfer Capability；以下では単にＩＰＴＣとも称する）のパラメータ値によって指定することも試みられている。これに相応しているのは、ＡＡＬ２シグナリングがＩＴＵ−Ｔ勧告Ｑ.２６３０.１若しくはＱ.２６３０.２に従ってサポートされている場合には、いわゆるリンク特性（以下ではＬＣとも称する）である。同様にＡＴＭアダプテーションレイヤタイプ２コネクションに対するシグナリングプロトコルもＩＴＵ−Ｔ勧告Ｑ.２６３０のもとで標準化されている。この標準化は、順次連続して構築されるいわゆる“キャパビリティセット”（Capability Sets）の中で行われている。勧告においてはこの“キャパビリティセット”は接尾辞によって分類されており、それにより“Ｑ.２６３０.１”はキャパビリティセット１を意味する（以下では“キャパビリティセット”を単にＣＳとも称する）。ＣＳ１やＣＳ２に対する標準化は、終了しており、ＣＳ３に対する標準化は進行中である。インターワーキングに対してはＬＣタイプのパラメータとＩＰＴＣタイプのパラメータの間の変換に問題がある。これは、そのつどのいわゆるコネクション確立リクエスト（Establish Request）メッセージにおけるリンク特性（ＬＣ）、いわゆる優先リンク特性（Preferred Link Characteristics；以下では単にＰＬＣとも称する）ないしはＩＰ転送キャパビリティ（ＩＰＴＣ）、いわゆる優先ＩＰ転送キャパビリティ（Preferred IP Transfer Capability；以下では単にＰＩＰＴＣとも称する）に関連しており、さらにそのつどの変更リクエスト（Modify Request）メッセージにおけるリンク特性とＩＰ転送キャパビリティに関連している。さらに付加的にＡＡＬ２シグナリングの確立リクエストメッセージにおけるいわゆるＳＳＩＳＵパラメータが考慮される。いわゆるＡＡＬ２コネクションに対するリソース要求は、ＣＳ１及びＣＳ２においてリンク特性のパラメータ値によってシグナリングされる。ＣＳ３に対しては、勧告I.３７８による転送キャパビリティ（Transfer Capabilities；以下単にＴＣとも称する）のサポート規定が設けられており、これはＬＣを完全にＣＳ３ネットワークに置き換えることを意図するものである。それによりＣＳ２ネットワークからＣＳ３ネットワークないしサブネットワークへの移行ポイント（ゲートウエイ）において、ＬＣ毎にシグナリングされたリソース要求のＣＳ２ないしＣＳ１ネットワークノードのＴＣへの移行問題が生じる。このことは、コネクション確立リクエスト内のリンク特性と優先リ���ク特性並びに変更メッセージ内のリンク特性に関している。
【０００３】
それ故に本発明の課題は、ＡＡＬ２シグナリングプロトコルとさらなるシグナリングプロトコルの間の移行のための方法をさらに発展させることである。
【０００４】
前記課題は、独立請求項の特徴部分に記載された本発明によって解決される。本発明のさらなる改善例は従属請求項に記載されている。本発明の核心は、パラメータ値の特性が確定され、ＡＡＬ２シグナリングプロトコルとさらなるシグナリングプロトコルの間の移行に対して用いられる点である。この場合特性の確定は、事前に定められる条件とルールに従って行われる。
【０００５】
この本発明の利点は、当該解決手段の実行が容易なこととコスト的に有利なことである。
【０００６】
本発明は以下の図面に示されている実施例に基づいて詳細に説明される。これらの図面のうち、
図１は、ＬＣ，ＴＣ，ＳＳＩＳＵ，ＩＰＴＣパラメータのテーブルであり、
図２は、ＰＬＣ，ＰＴＣ，ＰＩＰＴＣパラメータのテーブルであり、
図３は、ＬＣないしＰＬＣからＴＣないしＰＴＣへの移行に対するビットレートの確定を示した図であり、
図４は、コネクション確立リクエストメッセージと変更メッセージの受信の場合の変換テーブルであり、
図５は、転送キャパビリティクラスの選択に対する条件であり、
図６は、ＬＣないしＰＬＣからＩＰＴＣないしＰＩＰＴＣへの移行に対するビットレート確定を示した図であり、
図７は、最大許容パケットサイズの確定に対するルールであり、
図８は、所定のＩＰＴＣないしＰＩＰＴＣに対するＬＣないしＰＬＣビットレート確定を示した図であり、
図９は、定常的帯域幅転送キャパビリティ（ＳＢＷ−ＴＣ）に対する変換テーブルであり、
図１０は、所定の帯域幅転送キャパビリティ（ＤＢＷ−ＴＣ）に対する変換テーブルであり、
図１１は、最大ＣＰＳ−ＳＤＵサイズ及び平均ＣＰＳ−ＳＤＵサイズの確定に対するルールであり、
図１２は、ＳＳＩＳＵパラメータの確定に対するルールであり、
図１３は、ＩＰ転送キャパビリティクラスの選択に対する条件であり、
図１４は、コネクション確立リクエストメッセージのもとでのＬＣないしＰＬＣからＴＣないしＰＴＣへの移行を表した図であり、
図１５は、変更メッセージの元でのＬＣないしＰＬＣからＴＣないしＰＴＣへの移行を表した図であり、
図１６は、コネクション確立リクエストメッセージのもとでのＬＣないしＰＬＣからＩＰＴＣないしＰＩＰＴＣへの移行を表した図であり、
図１７は、コネクション確立リクエストメッセージのもとでのＩＰＴＣないしＰＩＰＴＣからＬＣないしＰＬＣへの移行を表した図であり、
図１８は、変更メッセージのもとでのＬＣないしＰＬＣからＩＰＴＣないしＰＩＰＴＣへの移行を表した図であり、
図１９は、変更メッセージのもとでのＩＰＴＣないしＰＩＰＴＣからＬＣないしＰＬＣへの移行を表した図である。
【実施例】
【０００７】
図１には、リンク特性パラメータ（ＬＣ）、転送キャパビリティパラメータ（ＴＣ）、ＳＳＩＳＵパラメータ（ＳＳＩＳＵ）、ＩＰ転送キャパビリティパラメータ（ＩＰＴＣ）の特性と本願で用いられる頭字語がテーブルで表されている。
【０００８】
図２には、優先リンク特性パラメータ（ＰＬＣ）、優先転送キャパビリティパラメータ（ＰＴＣ）、及び優先ＩＰ転送キャパビリティパラメータ（ＩＰＴＣ）の特性と本願で用いられる頭字語がテーブルで表されている。
【０００９】
図３には、ＬＣタイプの帯域幅仕様からＴＣタイプの帯域幅仕様への変換のために、ＡＴＭアダプテーションレイヤタイプ２（ＡＡＬ２）パケットヘッダによって引き起こされる帯域幅の推定がどのように必要となるかが示されている。このことはテーブル内に含まれているサイズを用いて行われる。ビットレートに対する単位として“Bit pro Second”（ｂｐｓ）が用いられ、例えばＣＰＳ−ＳＤＵのサイズに対してはに当該実施例では“ｏｃｔｅｔ”が用いられている。ピークＣＰＳビットレートに対するＣＰＳパケットヘッダによって引き起こされるビットレート要件の推定は、平均ＣＰＳ−ＳＤＵサイズの参照のもとで定められる。このことは必要である。なぜなら支援サービスの情報なしでは、ピークビットレートが最大サイズのＣＰＳパケットを介してしか得られないことを前提にできないからである。ビットレートの確定に対しては、ピークレートにおける毎秒毎のパケットの数Ｎが、平均ＣＰＳ−ＳＤＵサイズに関連して求められる。ＣＰＳパケットヘッダレートは、パケットの数ＮとＣＰＳパケットヘッダ長との乗算によって算出される。それに続けて６４ｂｐｓの整数倍に対する正規化が行われる。この６４ｂｐｓの整数倍への正規化は、ＩＰＴＣパラメータのビットレートのシグナリングに対する目下進行中の標準化作業に取り入れられる６４ｂｐｓの細分性に基づくものである。
【００１０】
図４には、図３から定められる変換テーブルが示されている。この変換テーブルによれば、ＴＣないしＰＴＣにおけるピークビットレート仕様に対する下方の限界値が所定のＬＣないしＰＬＣ値に基づいて定められる。この限界値は支援されるべきサービスに関する知識なしでも最適化される。このＴＣ及びＰＴＣに対する変換テーブルは、例えば（既にＴＣ又はＰＬＣパラメータの含まれていない）ＣＳ２ネットワークないしサブネットワークからのコネクション確立リクエストメッセージ（ＥＲＱ）や変更メッセージ（ＭＯＤ）の受信の際のＡＡＬ２スイッチングユニット１に使用される。またＩＰＴＣ及びＰＩＰＴＣに対する変換テーブルは、例えばＱ.２６３０.１若しくはＱ.２６３０.２に従ってシグナリングされる、ＡＡＬ２ネットワークないしサブネットワークからのコネクション確立リクエストメッセージ（ＥＲＱ）と変更メッセージ（ＭＯＤ）の受信の際のインターワーキングユニット２に使用される。
【００１１】
図５は、ＭＳＬＣ（Modify Support for Link Characteristics）パラメータ及びＬＣパラメータ値に関する条件がＣＳ２ネットワークないしサブネットワークからのコネクション確立リクエストメッセージ（ＥＲＱ）において充たされている場合の、“固定帯域幅転送キャパビリティ”の選択に対する条件を示したものである。これらの条件の少なくとも１つが充たされないならば、“可変の帯域幅緊縮転送キャパビリティ（Variable Bandwidth Transfer Capability）”か若しくは“可変の帯域幅許容転送キャパビリティ（Variable Bandwidth Tolerant Capability）”が当てがわれる。この場合この選択は、個々のネットワークベースのもとで、例えば使用されるサービスに関する情報及び／又は到来するコネクションに用いられるＡＡＬ２パスの選択されたパスタイプに依存して、ネットワークノードにおいて指定されなければならない。転送キャパビリティクラスの確定は、ＣＳ２ネットワークないしサブネットワークからのコネクション確立リクエストメッセージ（ＥＲＱ）の受信のもとで行われる。
【００１２】
図６には、ＬＣタイプの帯域幅仕様からＩＴＰＣタイプの帯域幅仕様への変換のために、ＩＰヘッダによって引き起こされる帯域幅要件を推定することがどのように必要となるかが示されている。このことはテーブル内に含まれているサイズを用いて行われる。このテーブル内で定義される全てのサイズは、“Bit pro Second”で理解されたい。この６４ｂｐｓの整数倍への正規化は、ＩＰＴＣパラメータのビットレートのシグナリングにおける目下進行中の標準化作業に取り入れられる６４ｂｐｓの細分性に基づくものである。ここにおいて特に重要なことは、ピークＣＰＳ−ＳＤＵビットレートに対するＩＰヘッダによって引き起こされるビットレート要件の推定に対し、参照が平均ＣＰＳ−ＳＤＵサイズに基づいて行われることである。このことは必要である。なぜなら支援サービスの情報なしでは、ピークビットレートが最大サイズのＣＰＳパケットを介してしか得られないことを前提にできないからである。そのため確実な推定のためにもそのつどのいわゆる“平均ＣＰＳ−ＳＤＵサイズ”の参照が必要とされる。
【００１３】
図７には、ＩＰＴＣ及びＰＩＰＴＣパラメータのもとで最大許容パケットサイズがＬＣ、ＰＬＣ及びＳＳＩＳＵ値からどのように定められるかが示されている。この変換テーブルは、例えばＱ.２６３０.１若しくはＱ.２６３０.２に従ってシグナリングされるＡＡＬ２ネットワークないしサブネットワークからのコネクション確立リクエストメッセージ（ＥＲＱ）と変更メッセージ（ＭＯＤ）の受信の際のインターワーキングユニットに使用される。
【００１４】
図８には、所定の（有利な）ＩＰＴＣパラメータに対してどのようにＩＰヘッダビットレートが確定されるかが示されている。ＩＰＴＣタイプの帯域幅仕様からＬＣタイプの帯域幅仕様への変換に対しては、特に、ＩＰヘッダによって引き起こされる帯域幅要件を推定することが重要である。このことは図８に示されているサイズを用いて行われる。その場合に着目すべき点は、それによって定められるビットレート仕様により異なるＩＰ転送キャパビリティの複数のクラスが存在することである。このテーブルはここでは、一般的にみなされる。どのサイズが実際に係わり、確定すべき必要があるかは、所定の定常的帯域幅転送キャパビリティに対する図９及び図１０のテーブルに特定されている。６４ｂｐｓの整数倍への正規化は、ＩＰＴＣパラメータのビットレートのシグナリングにおける目下進行中の標準化作業に取り入れられる６４ｂｐｓの細分性に基づくものである。ここにおいて特に重要なことは、ＩＰＴＣ及びＰＩＰＴＣにおいて与えられる値におけるＩＰヘッダによって引き起こされるビットレート要件の推定が、“最大許容パケットサイズ”に基づいて行われることである。それにより、支援されるべきサービスが未知の場合の最適な推定が所定の情報のもとで達成される。
【００１５】
図９及び図１０は、図８から定められる定常的帯域幅転送キャパビリティ（ＳＢＷ−ＴＣ）と所定の帯域幅転送キャパビリティ（ＤＢＷ−ＴＣ）に対する変換テーブルが示されている。上方の変換テーブルによれば、ＬＣないしＰＬＣにおけるピークビットレート仕様に対する下方の限界値が所定のＩＰＴＣないしＰＩＰＴＣ値に基づいて定められる。この限界値は支援すべきサービスに関する情報なしでも最適化される。この変換テーブルは、例えばＩＰコネクションコントロールプロトコル（Ｑ.ＩＰＣ.ＣＳ１）に従ってシグナリングされる、ＩＰネットワークないしサブネットワークからのコネクション確立リクエストメッセージと変更メッセージの受信のもとでインターワーキングユニット２に使用される。
【００１６】
図１１は、ＬＣ及びＰＬＣパラメータにおいて最大ＣＰＳ−ＳＤＵサイズと平均ＣＰＳ−ＳＤＵサイズがどのように定められるかが示されている。この変換テーブルは、例えばＩＰコネクションコントロールプロトコル（Ｑ.ＩＰＣ.ＣＳ１）に従ってシグナリングされる、ＩＰネットワークないしサブネットワークからのコネクション確立リクエストメッセージと変更メッセージの受信のもとでのインターワーキングユニットに使用される。最大ＣＰＳ−ＳＤＵサイズ及び／又は平均ＣＰＳ−ＳＤＵサイズは、ＩＰ転送キャパビリティ及び／又は優先ＩＰ転送キャパビリティのＩＰパケットのヘッダ長を除いた最大許容パケットサイズの最小値と、最大許容ＣＰＳ−ＳＤＵサイズから定められる。ここでは最大許容ＣＰＳ−ＳＤＵサイズは４５オクテットで特定される。
【００１７】
図１２には、ＩＰＴＣないしＰＩＰＴＣパラメータからＳＳＩＳＵパラメータがどのように求められるかが示されている。このＰＩＰＴＣパラメータは、インターワーキングユニットがＬＣ及びＩＰＴＣの変更を支援している場合にのみ考慮される。ＳＳＩＳＵパラメータは、ＩＰ転送キャパビリティのＩＰパケットのヘッダ長を除いた最大許容パケットサイズの最大値と、優先ＩＰ転送キャパビリティのＩＰパケットのヘッダ長を除いた最大許容パケットサイズと、最大許容ＣＰＳ−ＳＤＵサイズから定められる。その上さらに、
Ｉ＝Ｊ＝４５
が成り立つならば、ＳＳＩＳＵパラメータは何も形成されない。この条件は、ＡＡＬ２側での存在する情報（ＩＰＴＣ、ＰＩＰＴＣ）に基づいて、ＩＴＵ−Ｔ勧告Ｉ.３６６.１によるセグメンテーションが何も必要ないことを表しており、それ故にＳＳＩＳＵパラメータはコネクション確立リクエストメッセージ内で何も要求されない。この変換テーブルは、例えばＩＰコネクションコントロールプロトコル（Ｑ.ＩＰＣ.ＣＳ１）に従ってシグナリングされる、ＩＰネットワークないしサブネットワークからのコネクション確立リクエストメッセージと変更メッセージの受信のもとでインターワーキングユニットに使用される
図１３は、ＩＰＴＣクラスの確定に対する条件を表している。ＡＡＬ２ネットワークないしサブネットワークからのコネクション確立リクエストメッセージのＬＣパラメータ値及びＭＳＬＣパラメータに関する条件が充たされている場合には、“所定の帯域幅転送キャパビリティ”が選択され得る。これらの条件の少なくとも１つが充たされない場合には、“定常的帯域幅転送キャパビリティ”が推定される。このルールは、例えばＩＴＵ−Ｔ勧告Ｑ.２６３０.１若しくはＱ.２６３０.２に従ってシグナリングされるＡＡＬ２ネットワークないしサブネットワークからのコネクション確立リクエストメッセージの受信の際のインターワーキングユニットに使用される。
【００１８】
図１４には、ＣＳ３シグナリングサポートを伴うＡＡＬ２スイッチングユニット１においてＬＣないしＰＬＣパラメータがどのようにＴＣないしＰＴＣパラメータに移行するかが示されている。Ｑ.２６３０.２シグナリングによるコネクション確立リクエストメッセージがＡＡＬ２スイッチングユニットへ到来すると、ＬＣないしＰＬＣパラメータがルールと条件に従ってＴＣないしＰＴＣパラメータにマッピングされる。
【００１９】
図１５には、変更メッセージがＣＳ３シグナリングサポートを伴うＡＡＬ２スイッチングユニット１において受信された場合に、ＬＣないしＰＬＣパラメータがどのようにＴＣないしＰＴＣパラメータに移行するかが示されている。
【００２０】
図１６には、ＡＡＬ２−ＩＰインターワーキングユニット２において、Ｑ.２６３０シグナリングによるコネクション確立リクエストメッセージのもとでＬＣないしＰＬＣパラメータが、どのようにＱ.ＩＰＣ−ＣＳ１シグナリングによるコネクション確立リクエストメッセージのもとでＩＰＴＣないしＰＩＰＴＣパラメータに移行するかが示されている。
【００２１】
図１７には、ＡＡＬ２−ＩＰインターワーキングユニット２において、Ｑ.ＩＰＣ−ＣＳ１シグナリングによるコネクション確立リクエストメッセージのもとでＩＰＴＣないしＰＩＰＴＣパラメータがどのようにＱ.２６３０.２シグナリングによるコネクション確立リクエストメッセージのもとでＬＣないしＰＬＣパラメータに移行するかが示されている。
【００２２】
図１８には、ＡＡＬ２−ＩＰインターワーキングユニット２において、Ｑ.２６３０.２シグナリングによる変更メッセージのもとでＬＣないしＰＬＣパラメータが、どのようにＱ.ＩＰＣ−ＣＳ１シグナリングによる変更メッセージのもとでＩＰＴＣないしＰＩＰＴＣパラメータに移行するかが示されている。
【００２３】
図１９には、ＡＡＬ２−ＩＰインターワーキングユニット２において、Ｑ.ＩＰＣ−ＣＳ１シグナリングによる変更メッセージのもとでＩＰＴＣないしＰＩＰＴＣパラメータが、どのようにＱ.２６３０シグナリングによる変更メッセージのもとでＬＣないしＰＬＣパラメータに移行するかが示されている。
【図面の簡単な説明】
【００２４】
【図１】ＬＣ，ＴＣ，ＳＳＩＳＵ，ＩＰＴＣパラメータのテーブル
【図２】ＰＬＣ，ＰＴＣ，ＰＩＰＴＣパラメータのテーブル
【図３】ＬＣないしＰＬＣからＴＣないしＰＴＣへの移行に対するビットレートの確定を示した図
【図４】コネクション確立リクエストメッセージと変更メッセージの受信の場合の変換テーブル
【図５】転送キャパビリティクラスの選択に対する条件
【図６】ＬＣないしＰＬＣからＩＰＴＣないしＰＩＰＴＣへの移行に対するビットレート確定を示した図
【図７】最大許容パケット量の確定に対するルール
【図８】所定のＩＰＴＣないしＰＩＰＴＣに対するＬＣないしＰＬＣビットレート確定
【図９】定常的帯域幅転送キャパビリティ（ＳＢＷ−ＴＣ）に対する変換テーブル
【図１０】所定の帯域幅転送キャパビリティ（ＤＢＷ−ＴＣ）に対する変換テーブル
【図１１】最大ＣＰＳ−ＳＤＵサイズ及び平均ＣＰＳ−ＳＤＵサイズの確定に対するルール
【図１２】ＳＳＩＳＵパラメータの確定に対するルール
【図１３】ＩＰ転送キャパビリティクラスの選択に対する条件
【図１４】コネクション確立リクエストメッセージのもとでのＬＣないしＰＬＣからＴＣないしＰＴＣへの移行を表した図
【図１５】変更メッセージの元でのＬＣないしＰＬＣからＴＣないしＰＴＣへの移行を表した図
【図１６】コネクション確立リクエストメッセージのもとでのＬＣないしＰＬＣからＩＰＴＣないしＰＩＰＴＣへの移行を表した図
【図１７】コネクション確立リクエストメッセージのもとでのＩＰＴＣないしＰＩＰＴＣからＬＣないしＰＬＣへの移行を表した図
【図１８】変更メッセージのもとでのＬＣないしＰＬＣからＩＰＴＣないしＰＩＰＴＣへの移行を表した図
【図１９】変更メッセージのもとでのＩＰＴＣないしＰＩＰＴＣからＬＣないしＰＬＣへの移行を表した図
【図１】
2006514814.tif 000003
【図２】
2006514814.tif 000004
【図３】
2006514814.tif 000005
【図４】
2006514814.tif 000006
【図５】
2006514814.tif 000007
【図６】
2006514814.tif 000008
【図７】
2006514814.tif 000009
【図８】
2006514814.tif 000010
【図９】
2006514814.tif 000011
【図１０】
2006514814.tif 000012
【図１１】
2006514814.tif 000013
【図１２】
2006514814.tif 000014
【図１３】
2006514814.tif 000015
【図１４】
2006514814.tif 000016
【図１５】
2006514814.tif 000017
【図１６】
2006514814.tif 000018
【図１７】
2006514814.tif 000019
【図１８】
2006514814.tif 000020
【図１９】
2006514814.tif 000021
【手続補正書】
【提出日】平成16年11月18日(2004.11.18)
【手続補正１】
【補正対象書類名】特許請求の範囲
【補正対象項目名】全文
【補正方法】変更
【補正の内容】
【特許請求の範囲】
【請求項１】
少なくとも１つの通信ネットワークにおけるＡＡＬ２シグナリングプロトコルから少なくとも１つのさらなるシグナリングプロトコルへの移行のための方法において、
少なくとも１つの特性をＡＡＬ２シグナリングプロトコルに対して定められたパラメータ値から確定し、
前記確定された特性が、ＡＡＬ２シグナリングプロトコルのパラメータ値からさらなるシグナリングプロトコルの転送キャパビリティパラメータ値へのマッピングのために利用されることを特徴とする方法。
【請求項２】
ＡＡＬ２シグナリングプロトコルのリンク特性のパラメータ値からＡＡＬ２シグナリングプロトコルの転送キャパビリティパラメータ値への移行が実施される、請求項１記載の方法。
【請求項３】
ＡＡＬ２シグナリングプロトコルの優先リンク特性のパラメータ値からＡＡＬ２シグナリングプロトコルの優先転送キャパビリティパラメータ値への移行が実施される、請求項１または２記載の方法。
【請求項４】
ＡＡＬ２シグナリングプロトコルのリンク特性のパラメータ値からＩＰコネクションのためのシグナリングプロトコルのＩＰ転送キャパビリティパラメータ値への移行が実施される、請求項１から３いずれか１項記載の方法。
【請求項５】
ＡＡＬ２シグナリングプロトコルの優先リンク特性のパラメータ値からＩＰコネクションのためのシグナリングプロトコルの優先ＩＰ転送キャパビリティパラメータ値への移行が実施される、請求項１から４いずれか１項記載の方法。
【請求項６】
ＡＡＬ２シグナリングプロトコルのパラメータ値からＩＰコネクションのためのシグナリングプロトコルのＩＰ転送キャパビリティパラメータ値への移行がコネクション確立リクエスト及び／又は変更リクエストに基づいて実施される、請求項１から５いずれか１項記載の方法。
【請求項７】
パラメータ値の特性として、ビットレート、最大許容パケットサイズ、最大ＣＰＳ−ＳＤＵサイズ、平均ＣＰＳ−ＳＤＵサイズ、ＳＳＩＳＵパラメータ及び／又はＩＰ転送キャパビリティクラスが確定される、請求項１から６いずれか１項記載の方法。
【請求項８】
ビットレート確定のために、ＡＡＬ２シグナリングプロトコルのリンク特性パラメータ値からＡＡＬ２シグナリングプロトコルの転送キャパビリティパラメータ値への移行のもとで、平均ＣＰＳ−ＳＤＵサイズに関する時間単位毎のピークレートデータパケットの数が求められ、パケットヘッダ長と共にビットレートが確定される、請求項１から７いずれか１項記載の方法。
【請求項９】
ビットレート確定のために、ＡＡＬ２シグナリングプロトコルのリンク特性パラメータ値からＩＰコネクションのためのシグナリングプロトコルのＩＰ転送キャパビリティパラメータ値への移行のもとで、最大パケットサイズでのピークレートの時間単位毎のデータパケットの数から最小ヘッダビットレートが確定され、ピークバイトレートと共にビットレートが求められる、請求項１から８いずれか１項記載の方法。
【請求項１０】
最大許容パケットサイズが、最大ＣＰＳ−ＳＤＵサイズと、ＳＳＳＡＲ−ＳＤＵの最大長と、ＩＰパケットヘッダ長から求められる、請求項１から９いずれか１項記載の方法。
【請求項１１】
特性の確定の際に、６４ビット／秒の整数倍に対する正規化が実施される、請求項１から１０いずれか１項記載の方法。
【請求項１２】
最大ＣＰＳ−ＳＤＵサイズ及び／又は平均ＣＰＳ−ＳＤＵサイズが、最大許容パケットサイズ最小値引くＩＰ転送キャパビリティのＩＰパケットヘッダ長、及び／又は優先ＩＰ転送キャパビリティ、及び最大許容ＣＰＳ−ＳＤＵサイズから求められる、請求項１から１１いずれか１項記載の方法。
【請求項１３】
ＳＳＩＳＵパラメータが、最大許容パケットサイズ最大値引くＩＰ転送キャパビリティのＩＰパケットヘッダ長、最大許容パケットサイズ引く優先ＩＰ転送キャパビリティの一パケットヘッダ長、及び最大許容ＣＰＳ−ＳＤＵサイズから求められる、請求項１から１２いずれか１項記載の方法。
【請求項１４】
所定の帯域幅転送キャパビリティが、ＡＡＬ２ネットワークからのコネクション確立リクエストのＭＳリンク特性及び／又はリンク特性に関する先行の所定の条件に基づいて選択され、当該条件の少なくとも１つが充たされない場合には、定常的帯域幅転送キャパビリティがＩＰ転送キャパビリティクラスとして使用される、請求項１３記載の方法。
【請求項１５】
インターワーキングユニットからコネクション確立リクエストが受信された場合に、ＩＰ転送キャパビリティクラスが確定される、請求項１４記載の方法。
【請求項１６】
ＩＰパケットヘッダ長の確定のために、ＩＰパケットヘッダ、ＵＤＰヘッダ、ＲＴＰが使用しているコネクションに対するＲＴＰヘッダが用いられる、請求項１から１５いずれか１項記載の方法。
【請求項１７】
ＡＡＬ２シグナリングプロトコルからＩＰコネクションのためのシグナリングプロトコルへの移行の際に特性の確定がインターワーキングユニットにおいて実施される、請求項１から１６いずれか１項記載の方法。
【請求項１８】
ＡＡＬ２シグナリングプロトコルからさらなるＡＡＬ２シグナリングプロトコルへの移行の際に特性の確定がＡＡＬ２スイッチングデバイスにおいて実施される、請求項１から１７いずれか１項記載の方法。
【請求項１９】
少なくとも１つの通信ネットワークにおけるＡＡＬ２シグナリングプロトコルから少なくとも１つのさらなるシグナリングプロトコルへの移行のための装置において、
ＡＡＬ２シグナリングプロトコルのパラメータ値を受信する受信ユニットと、
ＡＡＬ２シグナリングプロトコルに対して定められたパラメータ値から少なくとも１つの特性を確定し、かつＡＡＬ２シグナリングプロトコルのパラメータ値からさらなるシグナリングプロトコルの転送キャパビリティパラメータ値へのマッピングを実施する処理ユニットと、
マッピングされたさらなるシグナリングプロトコルのパラメータ値を送信する送信ユニットとを有していることを特徴とする装置。
【請求項２０】
前記装置としてＡＡＬ２スイッチングユニットが設けられている、請求項１９記載の装置。
【請求項２１】
前記装置としてインターワーキングユニットが設けられている、請求項１９または２０記載の装置。
【手続補正２】
【補正対象書類名】明細書
【補正対象項目名】０００２
【補正方法】変更
【補正の内容】
【０００２】
公知文献１“Ian Rytina, TSG-RAN Meeting #18 including attachment 2(Q.AAL2IPiw.CS1);ITU-T TSG-RAN Meeting #18,[Online] 6. December 2002(2002-12-06), Page 1-28, Interworking between AAL type 2 Signaling Protocol Capability Set 2 and IPALCAP Signaling Protocol Capability Set 1”では、ＡＡＬタイプ２シグナリングプロトコルキャパビリティセット２とＩＰＡＬＣＡＰシグナリングプロトコルの間のインターワーキングが定義されている。この２つのシグナリングプロトコル間のインターワーキングは、通常はＡＡＬタイプ２を伴う３ＧＰＰアクセスネットワーク（ＵＴＲＡＮｓ）とＩＰネットワークユニット（これらは“インターワーキングユニット”を介して接続されている）において行われている。
公知文献２（WO 01/13599A2）では、ＡＴＭネットワークとＩＰネットワークの間のインターワーキングユニットを提供するための方法及び装置が開示されている。ゲートウエイユニットは、ＡＴＭ（ＡＡＬ２）ベースのアクセス／コアネットワークをＩＰネットワークに接続させるために設けられている。ゲートウエイユニットは、第１のネットワークと第２のネットワークの間のインターフェースとして働く。この場合第１のネットワークは、第１のシグナリングを使用し、第２のネットワークは第２のシグナリングを使用し、インターフェースは第１のネットワークと第２のネットワークの間のシグナリングを翻訳している。さらにインターフェースは、第１のネットワークと第２のネットワークの間のシグナリングの翻訳のための制御面及び／又は第１のタイプのシグナリングから第２のタイプのシグナリングへのユーザーデータの変換のためのユーザー面を含んでいる。制御面は、第１のネットワークと第２のネットワークの間のサービスをマッピングし、第１のネットワークと第２のネットワークの間でサービスを伝送している。インターフェースは、少なくとも１つのインターフェースモジュールとマルチプレクサモジュールを含んでいる。
ＩＴＵ−Ｔでは、作業表題“Q.ＩＰＣ.ＣＳ１”のもとでＩＰコネクションに対するシグナリングプロトコルを（ＩＰコネクションコントロールプロトコル）標準化している。このシグナリング方式は、とりわけＩＰベースのいわゆる無線アクセスネットワーク（Radio Access Networks；以下では単にＲＡＮとも称する）に用いられている。ここでは例えばいわゆるインターワーキングユニット（interworking unit）を用いて、ＩＰベースのＲＡＮからなるネットワークコンポーネントを、ＡＴＭアダプテーションレイヤタイプ２（以下では単にＡＡＬ２とも称する）ベースのＲＡＮからなるネットワークコンポーネントに接続させることがもくろまれている。さらにＩＰ側でリソース要求をＩＴＵ−Ｔ勧告Ｙ.１２２１に従ってＩＰ転送キャパビリティ（I P Transfer Capability；以下では単にＩＰＴＣとも称する）のパラメータ値によって指定することも試みられている。これに相応しているのは、ＡＡＬ２シグナリングがＩＴＵ−Ｔ勧告Ｑ.２６３０.１若しくはＱ.２６３０.２に従ってサポートされている場合には、いわゆるリンク特性（以下ではＬＣとも称する）である。同様にＡＴＭアダプテーションレイヤタイプ２コネクションに対するシグナリングプロトコルもＩＴＵ−Ｔ勧告Ｑ.２６３０のもとで標準化されている。この標準化は、順次連続して構築されるいわゆる“キャパビリティセット”（Capability Sets）の中で行われている。勧告においてはこの“キャパビリティセット”は接尾辞によって分類されており、それにより“Ｑ.２６３０.１”はキャパビリティセット１を意味する（以下では“キャパビリティセット”を単にＣＳとも称する）。ＣＳ１やＣＳ２に対する標準化は、終了しており、ＣＳ３に対する標準化は進行中である。インターワーキングに対してはＬＣタイプのパラメータとＩＰＴＣタイプのパラメータの間の変換に問題がある。これは、そのつどのいわゆるコネクション確立リクエスト（Establish Request）メッセージにおけるリンク特性（ＬＣ）、いわゆる優先リンク特性（Preferred Link Characteristics；以下では単にＰＬＣとも称する）ないしはＩＰ転送キャパビリティ（ＩＰＴＣ）、いわゆる優先ＩＰ転送キャパビリティ（Preferred IP Transfer Capability；以下では単にＰＩＰＴＣとも称する）に関連しており、さらにそのつどの変更リクエスト（Modify Request）メッセージにおけるリンク特性とＩＰ転送キャパビリティに関連している。さらに付加的にＡＡＬ２シグナリングの確立リクエストメッセージにおけるいわゆるＳＳＩＳＵパラメータが考慮される。いわゆるＡＡＬ２コネクションに対するリソース要求は、ＣＳ１及びＣＳ２においてリンク特性のパラメータ値によってシグナリングされる。ＣＳ３に対しては、勧告I.３７８による転送キャパビリティ（Transfer Capabilities；以下単にＴＣとも称する）のサポート規定が設けられており、これはＬＣを完全にＣＳ３ネットワークに置き換えることを意図するものである。それによりＣＳ２ネットワークからＣＳ３ネットワークないしサブネットワークへの移行ポイント（ゲートウエイ）において、ＬＣ毎にシグナリングされたリソース要求のＣＳ２ないしＣＳ１ネットワークノードのＴＣへの移行問題が生じる。このことは、コネクション確立リクエスト内のリンク特性と優先リ���ク特性並びに変更メッセージ内のリンク特性に関している。


【国際調査報告】
2006514814.tif 000022
2006514814.tif 000023
2006514814.tif 000024
2006514814.tif 000025
2006514814.tif 000026
2006514814.tif 000027
2006514814.tif 000028
2006514814.tif 000029